(57)【要約】【課題】遅延干渉計およびデータ再生回路によりＤＱＰＳＫ変調信号光を復号する構成において、遅延干渉計の位相制御が入力信号光の異常時に困難となる。【解決手段】ＤＱＰＳＫ変調された信号光を分岐し、遅延干渉計、光電変換部、および、データ再生回路を有する第１および第２のブランチに入力し、Ｉ信号およびＱ信号を復号する光受信装置であって、第１の遅延干渉計の位相を調整する第１の移相手段は、第１のブランチの光電変換部より出力される第１復調電気信号および、第２のブランチのデータ再生回路より出力される第２再生電気信号に基づき制御され、第２の遅延干渉計の位相を調整する第２の移相手段は、第２のブランチの光電変換部より出力される第２復調電気信号および、第１のブランチのデータ再生回路より出力される第１再生電気信号に基づき制御され、入力信号光の異常が、第１復調電気信号および第１再生電気信号の同期検波状態および第２復調電気信号および第２再生電気信号の同期検波状態に基づき検出されることを特徴とする。【選択図】図１１
2008271536.tif 000002
【特許請求の範囲】
【請求項１】
ＤＱＰＳＫ変調された入力信号光を第１分岐信号光と第２分岐信号光に分岐する分岐部と、
前記第１分岐信号光を入力し、前記第１分岐信号光に所定の位相を付与する第１移相器を有する光導波路と前記第１分岐信号光に１シンボル分の時間差を与える光導波路とを備えた第１遅延干渉計と、
前記第１遅延干渉計の出力光を入力し、第１復調電気信号を出力する第１光電変換部と、
前記第１復調電気信号のクロックおよびデータの再生を行い、第１再生電気信号を出力する第１データ再生回路と、
前記第２分岐信号光を入力し、前記第２分岐信号光に所定の位相を付与する第２移相器を有する光導波路と前記第２分岐信号光に１シンボル分の時間差を与える光導波路とを有する第２遅延干渉計と、
前記第２遅延干渉計の出力光を入力し、第２復調電気信号を出力する第２光電変換部と、
前記第２復調電気信号のクロックおよびデータの再生を行い、第２再生電気信号を出力する第２データ再生回路と、
前記第１復調電気信号および前記第２再生電気信号に基づき、前記第１移相器の付与位相を制御する第１位相制御部と、
前記第２復調電気信号および前記第１再生電気信号に基づき、前記第２移相器の付与位相を制御する第２位相制御部と、
前記第１復調電気信号および前記第１再生電気信号の同期検波状態および前記第２復調電気信号および前記第２再生電気信号の同期検波状態に基づき、前記入力信号光の異常を検出する異常検知部とを備えた光受信装置。
【請求項２】
請求項１記載の光受信装置であって、前記異常検知部は、フィルタ手段により前記第１復調電気信号、前記第１再生電気信号、前記第２復調電気信号、および、前記第２再生電気信号の周波数帯域を制限後、同期検波を行うことを特徴とする光受信装置。
【請求項３】
請求項１記載の光受信装置であって、前記異常検知部は、前記第１復調電気信号、前記第１再生電気信号、前記第２復調電気信号、および、前記第２再生電気信号をそれぞれ論理反転可能な論理反転手段を有し、前記論理反転手段による論理正転および論理反転状態の同期検波状態に基づき、前記入力信号光の異常を検出することを特徴とする光受信装置。
【請求項４】
請求項１記載の光受信装置であって、前記第１再生電気信号および前記第２再生信号を入力し、出力先をそれぞれ切り替え可能な切替部を備え、
前記第１位相制御部は、前記切替部より前記第２再生電気信号が入力されたときは、前記第１移相器の付与位相を制御し、前記切替部より前記第１再生電気信号が入力されたときは前記入力信号光の異常を検出し、
前記第２位相制御部は、前記切替部より前記第１再生電気信号が入力されたときは、前記第２移相器の付与位相を制御し、前記切替部より前記第２再生電気信号が入力されたときは前記入力信号光の異常を検出することを特徴とする光受信装置。
【請求項５】
請求項１記載の光受信装置であって、前記異常検知回路は、前記第１復調電気信号および前記第１再生電気信号の同期検波出力である第１同期検波出力の入力信号光強度に対する比率、または、前記第２復調電気信号および前記第２再生電気信号の同期検波出力である第２同期検波出力の前記入力信号光強度に対する比率、に基づき前記入力信号光の異常を検出することを特徴とする光受信装置。
【請求項６】
請求項５記載の光受信装置であって、前記異常検知部は、前記第１同期検波出力の前記入力信号光強度に対する比率または前記第２同期検波出力の前記入力信号光強度に対する比率が、所定のしきい値を超えるときに前記入力信号光における信号光パワーとＡＳＥ光パワーの比が異常であると判定することを特徴とする光受信装置。
【請求項７】
請求項５記載の光受信装置であって、前記異常検知部は、他に異常の原因が無く、前記第１同期検波出力の前記入力信号光強度に対する比率または前記第２同期検波出力の前記入力信号光強度に対する比率が、所定の閾値を下回るとき，前記入力信号光の波形歪みが異常であると判定することを特徴とする光受信装置。
【請求項８】
ＤＱＰＳＫ変調された信号光を分岐し、遅延干渉計、光電変換部、および、データ再生回路を有する第１および第２のブランチに入力し、Ｉ信号およびＱ信号を復号する光受信装置であって、
前記第１の遅延干渉計の位相を調整する第１の移相手段は、前記第１のブランチの前記光電変換部より出力される第１復調電気信号および、前記第２のブランチの前記データ再生回路より出力される第２再生電気信号に基づき制御され、
前記第２の遅延干渉計の位相を調整する第２の移相手段は、前記第２のブランチの前記光電変換部より出力される第２復調電気信号および、前記第１のブランチの前記データ再生回路より出力される第１再生電気信号に基づき制御され、
前記入力信号光の異常が、前記第１復調電気信号および前記第１再生電気信号の同期検波状態および前記第２復調電気信号および前記第２再生電気信号の同期検波状態に基づき検出されることを特徴とする光受信装置。
【請求項９】
ＤＱＰＳＫ変調された信号光を分岐し、遅延干渉計、光電変換部、および、データ再生回路を有する第１および第２のブランチに入力し、Ｉ信号およびＱ信号を復号する光受信装置であって、
前記入力信号光の異常が、前記第１のブランチの前記光電変換部より出力される第１復調電気信号および前記第１のブランチの前記データ再生回路より出力される第１再生電気信号、および、前記第２のブランチの前記光電変換部より出力される第２復調電気信号および前記第２のブランチの前記データ再生回路より出力される第２再生電気信号の同期検波状態、に基づき検出されることを特徴とする光受信装置。
【請求項１０】
それぞれ遅延干渉計，光検出器，データ再生回路を備えた第１のブランチ及び第２のブランチを有し，前記第１のブランチ及び第２のブランチの遅延干渉計の位相をフィードバック制御する光ＤＱＰＳＫ受信器における異常検出制御方法であって，
前記第１のブランチ及び第２のブランチのそれぞれにおいて，データ再生回路の入力側と出力側の信号を同期検波して，前記フィードバック制御における異常を判定することを特徴とする異常検出制御方法。
【発明の詳細な説明】
【技術分野】
【０００１】
本発明は，光４値位相シフトキーイング（ＤＱＰＳＫ：Differential Quadrature Phase Shift Keying）受信器および，光ＤＱＰＳＫ受信器における異常検出時制御方法に関する。
【背景技術】
【０００２】
光通信システムにおいて，その伝送容量が急速に増加しているが，主流となっている変調技術は，ＮＲＺ(NonReturn-to-Zero)又は,ＲＺ（Return-to-Zero）フォーマットにおける２値振幅シフトキーイング(ＯＯＫ:On-Off Keyとも言う)のままである。
【０００３】
最近では，光通信において，デュオバイナリ式，ＣＳＲＺ(Carrier-Suppressed Return-to-Zero)，ＤＰＳＫ(Differential Phase Shift Keying)などの変調/復調技術が利用されてきている。
【０００４】
ＤＰＳＫでは，情報は互いに隣接する２つのシンボル間の位相変化により搬送される。２値ＤＰＳＫでは，位相変化は，「０」または「π」に限定される。４つの位相変化（０，π／２，π，３π／２)を使用する方式は，ＤＱＰＳＫと呼ばれる。
【０００５】
従来のＯＯＫと比較すると，ＤＰＳＫは，３ｄＢ程度の光Ｓ／Ｎ比(ＯＳＮＲ：Optical Signal-to-Noise Ratio)利得の改善，および非線形効果に対する耐力が得られる。
【０００６】
光ＤＱＰＳＫは，４値シンボルを送信するので，スペクトル利用効率が２倍になり，これにより，電気テバイスの速度に対する要求，光分散の調整，偏波モード分散が緩和される。すなわち，光ＤＱＰＳＫは，次世代の光通信システムの有力候補である。
【０００７】
典型的な光ＤＱＰＳＫ受信器は，ＩブランチおよびＱブランチに対応する１組のマッハツェンダ干渉計を備える（非特許文献１）。各マッハツェンダ干渉計は，伝送システムにおけるシンボル時間に相当する光遅延要素τを備えている。
【０００８】
また，干渉計のブランチ間の光位相差は，Ｉブランチでは「π/４」に設定され，Ｑブランチでは「−π/４」に設定される。各干渉計の２つ出力端子は，送信データを再生するためのバランスド光検出器に接続されている。
【０００９】
なお，光ＤＱＰＳＫ送信器/受信器の構成および動作については，例えば，特許文献１にも記載されている。
【００１０】
図１は，ＲＺフォーマットを使用する光ＤＱＰＳＫのネットワーク構成例である。
【００１１】
図１において，狭帯域(Narrow-Band)光送信器１は，ＤＱＰＳＫプリコーダー１００からの それぞれ例えば，21.5Gbps のデータ(data)１とデータ(data)２を移相変調器１１０Ａ，１１０Ｂに入力する。
【００１２】
移相変調器１１０Ａは，データ(data)１に基づき，光源１１０からの光信号を光位相０,π[rad]に変調し，一方，移相変調器１１０Ｂは，光源１１０からの光信号をπ/２[rad]光位相を遅らせ，データ(data)２に基づき，光位相π/２,３π／２[rad]に変調する。
【００１３】
さらに，移相変調器１２０Ａ及び１２０Ｂの出力を合波し，４３GbpsのＤＱＰＳＫ信号とし，次いで強度変調器１３０においてＲＺ強度変調を行った後，光位相変調信号としてネットワーク(光伝送路)３に送出する。
【００１４】
光送信器１から出力された光信号は，ＷＤＭ（Wavelength Division Multiplexing）回線である光伝送路（ネットワーク）３により伝搬される。ネットワーク３には，途中に光波長分割多重回路（WDM MUX）４，光増幅器ＡＭＰ，波長分割多重光の分離器５を有する。
【００１５】
光増幅器ＡＭＰにおいては増幅時に信号/ノイズ比が劣化し，光ファイバ長距離伝送においては波長分散が発生する。これを補償するために，狭帯域光受信器２の前段にある残留分散補償器６を備える。
【００１６】
狭帯域光受信器２は，光位相変調信号を遅延干渉計（Delay Interferometer）２００Ａ,２００Ｂにより，１bit前の光位相変調信号と，光位相をπ/４,-π/４[rad]遅延させた現在受信の光信号を干渉させた後，それぞれバランスド光検出器（TWIN-PD）２１０Ａ，２１０Ｂにより差動光/電気変換後等価増幅を行う。
【００１７】
等価増幅後の信号は，データ再生回路として識別回路２２０Ａ，２２０ＢによりそれぞれＩチャネル信号，Ｑチャネル信号とされる。Ｉチャネル信号，Ｑチャネル信号は，ＤＱＰＳＫプリコーダー１００の処理に対応するビット入替論理（bit swap logic）反転処理をデコーダ２３０で実行する。
【００１８】
上記受信器２において，遅延干渉計２００Ａ，２００Ｂのブランチ間の光位相差が正確に「π/４」および「−π/４」に設定されていることが非常に重要である。そうでないと，許容範囲を超えた波形歪の劣化が発生する。正確な光位相差を得るためには，光位相制御回路２４０によりフィードバック制御が行われる。
【００１９】
光位相制御回路２４０は，受信器２における位相誤差をモニタし，位相が目標値に保持されるように受信器の位相を調整するための位相調整信号を生成する。
【００２０】
典型的なフィードバック制御の１つとして，dither-peak-detection方法が知られている。この方法では，受信器における位相を周波数ｆでわずかに変動させ，誤差信号の２ｆ成分をモニタする。受信器における位相が目標値に保持されるようになると，誤差信号の２ｆ成分は最小値になる。
【００２１】
ここで，狭帯域光受信器２において，遅延干渉計２００Ａ,２００Ｂにおける光位相をπ/４,-π/４[rad]遅延制御するための光位相制御回路２４０として，dither-peak-detection方法を用いる場合は，次のような課題がある。１．位相を変動させると，波形歪の劣化を引き起こす。２．ピーク検出（上記の最小値の検出）は，調整すべき位相が目標値に調整されているか否かを示すに過ぎない。すなわち，調整すべき位相が目標値よりも大きいのか小さいのかが，わからない。３．ピーク検出信号は，通常，位相誤差に対して２次曲線となるので，位相誤差がゼロに近いと，調整すべき位相に対するピーク検出信号の感度は低下する。４.位相制御の速度は，変動周波数（上述の周波徴ｆ)により制限される。
【００２２】
したがって，本願の出願人は，先に，特許文献２において，これらの課題を解決する方法を提案している。
【００２３】
図２は，関連技術である特許文献２に係る発明の光ＤＱＰＳＫ受信器の構成例を示す図である。図２において，以下の説明では，ＩブランチまたはＱブランチの一方をＡブランチと呼び，ＩブランチまたはＱブランチの他方をＢブランチと呼ぶ。
【００２４】
図２において，入力されるＤＱＰＳＫ信号(あるいは，ＲＺ-ＤＱＰＳＫ信号)は，分岐され，Ａブランチに設けられている遅延干渉計１１ａ，およびＢブランチに設けられている遅延干渉計１１ｂに導かれる。
【００２５】
遅延干渉計１１ａ,１１ｂは，それぞれ，図１の干渉計２００Ａ，２００Ｂに相当する。すなわち，遅延干渉計１１ａ，１１ｂは，それぞれ光遅延要素および移相要素を備えている。なお，移相要素の移相量は，図２において，温度変化を利用して調整される。たとえば，移相要素の温度が上昇すると，その移相量が大きくなる。
【００２６】
光検出回路(Twin-PD)１２ａ，１２ｂは，それぞれ図１のバランスド光検出回路２１Ａ，２１Ｂに相当し，遅延干渉計１１ａ，１１ｂの出力光に対応する電流信号を生成する。トランスインピーダンスアンプ(TIA)１３ａ，１３ｂは，それぞれ，光検出回路１２ａ，１２ｂにより生成される電流信号を電圧信号に変換する。
【００２７】
トランスインピーダンスアンプ１３ａの出力信号(データＡ)は，ローパスフィルタ１４ａを介してミキサ１５ａに与えられる。同様に，Ｂブランチの識別回路１７ｂの出力信号(データＢ)は，ローパスフィルタ２０ａを通してミキサ１５ａに与えられる。
【００２８】
なお，識別回路１７ａ，１７ｂの出力信号のそれぞれは，図１のデコーダ２３０に入力するＩ．Ｑブランチ信号に相当する。
【００２９】
ローパスフィルタ１４ａ，１４ｂ，及び２０ａ，２０ｂのカットオフ周波数は，例えば，１００MHz程度である。
【００３０】
ミキサ１５ａは，ローパスフィルタ１４ａの出力信号およびローパスフィルタ２０ａの出力信号を互いに掛合わせる。同様に，ミキサ１５ｂは，ローパスフィルタ１４ｂの出力信号およびローパスフィルタ２０ｂの出力信号を互いに掛合わせる。
【００３１】
ミキサ１５ａ，１５ｂの出力信号は，それぞれ，ローパスフィルタ２１ａ，２１ｂにより高周波成分が除去された後，Ａ／Ｄ変換器（ＡＤＣ）２２ａ，２２ｂによりデジタルデータに変換される。
【００３２】
このように，ミキサ１５ａは，Ａブランチの識別回路１７ａの前段の信号とＢブランチの識別回路１７ｂの後段の信号とを掛合わせる。同様に，ミキサ１５ｂは，Ｂブランチの識別回路１７ｂの前段の信号とＢブランチの識別回路１７ｂの後段の信号とを掛合わせることになる。
【００３３】
マイクロコントローラ２３ａは，Ａ／Ｄ変換器２２ａから出力されるデジタル信号に対して所定の演算を実行し，Ａブランチのための位相調整信号を生成する。同様に，マイクロコントローラ２３ｂは，Ａ／Ｄ変換器２２ｂから出力されるデジタル信号に対して所定の演算を実行し，Ｂブランチのための位相調整信号を生成する。なお，マイクロコントローラ２３ａ及び，２３ｂは，独立個別のものではなく共通のコントローラとすることも可能である。
【００３４】
マイクロコントローラ２３ａ,２３ｂにより生成される位相調整信号は，それぞれ，アナログ信号に変換されてヒータ２４ａ,２４ｂに与えられる。
【００３５】
すなわち，ヒータ２４ａ，２４ｂは，マイクロコントローラ２３ａ，２３ｂにより制御される。この結果，Ａブランチの遅延干渉計１１ａの移相要素およびＢブランチの遅延干渉計１１ｂの移相要素の温度が個々に調整される。ここで，遅延干渉計１１ａ，１１ｂの移相要素の移相量は，温度に依存する。したがって，遅延干渉計１１ａ，１１ｂの移相要素の移相量は，マイクロコントローラ２３ａ，２３ｂが生成する位相調整信号により調整される。
【００３６】
温度検出器２５は，遅延干渉計１１ａ，１１ｂの周辺の温度を検出する。温度制御回路２６は，温度検出器２５による検出結果を参照し，遅延干渉計１１ａ，１１ｂの周辺の温度を所定値に保持するための温度制御信号を生成する。ペルチェ素子２７は，温度制御信号に従って，遅延干渉計１１ａ，１１ｂの周辺の温度を所定の温度に保持する。
【００３７】
なお，ヒータ２４ａ，２４ｂのみで遅延干渉計１１ａ，１１ｂの移相要素の移相量を目標値に調整可能な場合には，温度検出器２５，温度制御回路２６，ペルチェ素子２７は設けなくてもよい。
【００３８】
上記構成の光ＤＱＰＳＫ受信器において，マイクロコントローラ２３ａは，ローパスフィルタ２１ａから出力されるＡブランチモニタ信号がゼロになるようにヒータ２４ａを制御する。同様に，マイクロコントローラ２３ｂは，ローパスフィルタ２１ｂから出力されるＢブランチモニタ信号がゼロになるようにヒータ２４ｂを制御する。
【００３９】
ここで，遅延干渉計１１ａの移相要素の位相誤差を「δＡ」とすると，Ａブランチモニタ信号は「−sin(δＡ)」に比例する。また，遅延干渉計１１ｂの移相要素の位相誤差を「δＢ」とすると，Ｂブランチモニタ信号は「sin(δＢ)」に比例する。
【００４０】
上記動作から明らかなように，ミキサ１５ａ，１５ｂ，ローパスフィルタ２１ａ，２１ｂ，およびマイクロプロセッサ２３ａ，２３ｂは，位相モニタ装置として動作する。また，ミキサ１５ａ，１５ｂ，及び，マイクロコントローラ２３ａ，２３ｂ，およびヒータ２５ａ，２５ｂは，位相制御装置として動作する。
【００４１】
そして，上記図２の構成において，光位相変調信号の光位相が直交するＡブランチ（Ｉブランチ），Ｂブランチ（Ｑブランチ）のそれぞれを独立に信号抽出する際，遅延干渉計１１ａ（１１ｂ）の光位相制御状態が，制御目標時にある時は，Ｂ（又はＡ）ブランチのトランスインピーダンスアンプ１３ｂ（又は１３ａ）の出力信号に，識別回路１７ａ（又は１７ｂ）の識別出力成分が混入していない場合は，光位相誤差検出部の出力（Ａ／Ｄ変換器２２ｂ（又は２２ａ）の出力）は，０[Ｖ]となる。
【００４２】
一方，制御目標からずれた時は，Ｂ（又はＡ）ブランチのトランスインピーダンスアンプ１３ｂ（又は１３ａ）の出力信号に，Ａ（又はＢ）ブランチの識別回路１７ａ（又は１７ｂ）の出力成分が混入している場合，光位相誤差検出部の出力（Ａ／Ｄ変換器２２ｂの出力）に＋/−の電位が発生する。これにより位相ずれ量及びその方向を判定することができる。
【００４３】
これは，Ａブランチ及びＢブランチ間に相関がなく，その両信号を乗算した出力の時間積分値はゼロに収束するが，Ｂ（又はＡ）ブランチのトランスインピーダンスアンプ１３ｂ（又は１３ａ）の出力信号に，Ｂ（又はＡ）ブランチの識別回路１７ａ（又は１７ｂ）の出力信号が混入した場合，次式の関係式で示される。
【００４４】
すなわち，Ｂ（又はＡ）ブランチのトランスインピーダンスアンプ１３ｂ（又は１３ａ）の出力ｗｐ，即ち，識別回路１７ｂ（１７ａ）の前段の信号を［B(A)-arm TIA OUT］とし，識別回路１７ｂ（１７ａ）の出力側の信号，即ち，識別回路１７ｂ（１７ａ）の後段の信号を［A(B)-arm MUX OUT］とすると，
［B(A)-arm TIA OUT］ =（n* B(A)-arm TIA OUT） + （m* A(B)-arm MUX OUT）で表される。
【００４５】
ここで，［B(A)-arm TIA OUT］は，本来抽出すべき信号であり，［A(B)-arm MUX OUT］は混入した信号成分である。さらに，またｎ，ｍは，光位相ずれにより発生する係数である。
【００４６】
そして，ミキサ１５ａ，１５ｂの出力［B(A)-arm TIA OUT × A(B)-arm MUX OUT］は，次のように表される。
【００４７】
［B(A)-arm TIA OUT × A-arm MUX OUT］
=（n* B(A)-arm TIA OUT+ m* A(B)-arm TIA OUT）×A(B)-arm MUX OUT
=（n* B(A)-arm TIA OUT ）×（A(B)-arm MUX OUT)  +  (m* A(B)-arm TIA OUT）×（A(B)-arm MUX OUT）
ここで，（n* B(A)-arm TIA OUT ）×（A(B)-arm MUX OUT)は，同期検波出力であり本来ゼロになる項であり，制御目標からずれた場合は，(m* A(B)-arm TIA OUT）×（A(B)-arm MUX OUT）は，ｍ=０にならず光位相ずれの方向に応じて＋/−の電位が発生する。
【特許文献１】特表２００４−５１６７４３号公報（ＷＯ２００２／０５１０４１，ＵＤ２００４／００８１４７）
【特許文献２】特開２００７−２０１３８号公報（特願２００５−３０５０５２号）
【非特許文献１】“Optical Differential Quardrature Phase-Shift Key(oDQPSK) for High capacity Optical Transmission” by R.A.Griffin et al., Optical Fiber communication Conference and Exhibit, 2002. OFP2002 17-22 March 2002 Pages 67-368
【発明の開示】
【発明が解決しようとする課題】
【００４８】
上記において，光位相ずれの方向に応じて＋/−の電位が発生する項（n* B(A)-arm TIA OUT ）×（A(B)-arm MUX OUT)が，検出できない場合は，図２で示された構成では，フィードバックループは機能できずに暴走してしまうことにある。
【００４９】
すなわち，トランスインピーダンスアンプ１３ａ，１３ｂの出力，識別回路１７a，１７ｂの出力が通常期待する正常な状態においては，フィードバック制御が機能するが，光入力状態が異常である場合や，トランスインピーダンスアンプ１３ａ，１３ｂ及び，識別回路１７a，１７ｂのいずれかが故障した場合には，上記の光位相ずれの方向に応じて＋/−の電位が発生する項（n* B(A)-arm TIA OUT ）×（A(B)-arm MUX OUT)が，検出できず光位相誤差検出値が異常となる。
【００５０】
しかし，図２の構成においては，項（n* B(A)-arm TIA OUT ）×（A(B)-arm MUX OUT)が検出できないときは，光位相誤差検出値が異常となることを検知することが出来ない。
【００５１】
そして，かかる光位相誤差検出値が異常となる状態例は次のようなケースであることが本願発明者により確認された。
【００５２】
すなわち，
ケース１：受信光入力が，光位相変調が掛かった信号を含まない「自然放出（ＡＳＥ）光のみ」である場合，若しくは，上記，項（n* B(A)-arm TIA OUT ）×（A(B)-arm MUX OUT)が所定量検出できないほど「信号光ＳとＡＳＥ光の比（Ａ／ＡＳＥ）が異常に小さい」場合は，光入力断の検出が不可であって，ＡＳＥ量大により，光入力断検出不可となり異常を検出できない場合である。
【００５３】
ケース２：光入力信号の歪が大きく光信号を識別できないために，上記項（n* B(A)-arm TIA OUT ）×（A(B)-arm MUX OUT)のMUX OUTが不定である場合である。
【００５４】
線形増幅信号(TIA OUT)は，光位相誤差検出回路部にてローパスフィルタ１４ａ，１４ｂにより帯域制限されており，残留分散に対しトレランスは大きい。
【００５５】
光伝送路３で発生した波長分散は，残留分散補償器６により補償されるが，残留分散補償器６の詳細制御が，信号疎通状態における誤り訂正率を少なくするよう制御する場合においては，遅延干渉計光位相制御が異常である場合，そもそも信号疎通状態を確保できない。
【００５６】
ケース３：データ識別回路１７ａ，１７ｂが異常である場合である。データ識別回路１７ａ，１７ｂの異常によりデータ及びクロックの識別位相ずれによる誤りが発生する。かかる場合も上記項（n* B(A)-arm TIA OUT ）×（A(B)-arm MUX OUT)の識別回路出力である（MUX OUT）が不定となり，光位相誤差検出値が得られない。
【００５７】
ケース４：トランスインピーダンスアンプ１３ａ，１３ｂ，識別回路１７a，１７ｂのいずれかが異常であるときは，上記項（n* B(A)-arm TIA OUT ）×（A(B)-arm MUX OUT)は，光位相制御値に関わらず検出できない。
【００５８】
ケース５：光入力断時，トランスインピーダンスアンプ１３ａ，１３ｂ，識別回路１７a，１７ｂの出力信号が不定となり，光位相誤差検出値が得られない。且つ回路異常等により光入力断検出不可となり異常を検出できない場合である。
【００５９】
したがって，本願発明の目的は，上記の各ケースに対応して，光位相誤差検出値が異常となる状態を回避しうる光ＤＱＰＳＫ受信器光及び，異常検出時制御方法を提供することにある。
【課題を解決するための手段】
【００６０】
本発明の第１の側面による光受信装置は，ＤＱＰＳＫ変調された入力信号光を第１分岐信号光と第２分岐信号光に分岐する分岐部と、前記第１分岐信号光を入力し、前記第１分岐信号光に所定の位相を付与する第１移相器を有する光導波路と前記第１分岐信号光に１シンボル分の時間差を与える光導波路とを備えた第１遅延干渉計と、前記第１遅延干渉計の出力光を入力し、第１復調電気信号を出力する第１光電変換部と、前記第１復調電気信号のクロックおよびデータの再生を行い、第１再生電気信号を出力する第１データ再生回路と、前記第２分岐信号光を入力し、前記第２分岐信号光に所定の位相を付与する第２移相器を有する光導波路と前記第２分岐信号光に１シンボル分の時間差を与える光導波路とを有する第２遅延干渉計と、前記第２遅延干渉計の出力光を入力し、第２復調電気信号を出力する第２光電変換部と、前記第２復調電気信号のクロックおよびデータの再生を行い、第２再生電気信号を出力する第２データ再生回路と、前記第１復調電気信号および前記第２再生電気信号に基づき、前記第１移相器の付与位相を制御する第１位相制御部と、
前記第２復調電気信号および前記第１再生電気信号に基づき、前記第２移相器の付与位相を制御する第２位相制御部と、前記第１復調電気信号および前記第１再生電気信号の同期検波状態および前記第２復調電気信号および前記第２再生電気信号の同期検波状態に基づき、前記入力信号光の異常を検出する異常検知部とを備えたことを特徴とする。
【００６１】
さらに，本発明の第２の側面による光受信装置は，ＤＱＰＳＫ変調された信号光を分岐し、遅延干渉計、光電変換部、および、データ再生回路を有する第１および第２のブランチに入力し、Ｉ信号およびＱ信号を復号する光受信装置であって、  前記第１の遅延干渉計の位相を調整する第１の移相手段は、前記第１のブランチの前記光電変換部より出力される第１復調電気信号および、前記第２のブランチの前記データ再生回路より出力される第２再生電気信号に基づき制御され、前記第２の遅延干渉計の位相を調整する第２の移相手段は、前記第２のブランチの前記光電変換部より出力される第２復調電気信号および、前記第１のブランチの前記データ再生回路より出力される第１再生電気信号に基づき制御され、前記入力信号光の異常が、前記第１復調電気信号および前記第１再生電気信号の同期検波状態および前記第２復調電気信号および前記第２再生電気信号の同期検波状態に基づき検出されることを特徴とする。
【００６２】
さらに，本発明の第３の側面は，それぞれ遅延干渉計，光検出器，データ再生回路を備えた第１のブランチ及び第２のブランチを有し，前記第１のブランチ及び第２のブランチの遅延干渉計の位相をフィードバック制御する光ＤＱＰＳＫ受信器における異常検出制御方法であって，
前記第１のブランチ及び第２のブランチのそれぞれにおいて，データ再生回路の入力側と出力側の信号を同期検波して，前記フィードバック制御における異常を判定することを特徴とする。
【００６３】
上記の本発明の特徴により，図２の構成における光ＤＱＰＳＫ受信器において光位相誤差検出値が異常となる状態例を回避することが可能となる。
【発明を実施するための最良の形態】
【００６４】
以下に本発明に従う実施例を説明する。
【００６５】
図３および図１０は，本発明の実施例を示す構成例ブロック図である。図３および図１０に示された構成例は、図２に示された光受信器２の構成例において，破線で囲われた光位相誤差検出部ＩＡ，ＩＢの詳細構成と，本発明の特徴として付加された異常状態の検出部３００を有している。
【００６６】
異常状態の検出部３００は，光位相誤差検出部ＩＡ，ＩＢと同じ構成である。
【００６７】
すなわち，光位相誤差検出部ＩＡは，Ａブランチのトランスインピーダンスアンプ１３ａの出力とＢブランチの識別回路１７ｂの出力との掛け算結果Ａを得る機能部である。一方，位相誤差検出部ＩＢは，Ｂブランチのトランスインピーダンスアンプ１３ｂの出力とＡブランチの識別回路１７ａの出力との掛け算結果Ｂを得る機能部である。
【００６８】
これに対し，本発明により追加された異常状態の検出機能部３００は，Ａブランチのトランスインピーダンスアンプ１３ａの出力とＡブランチの識別回路１７ａの出力との掛け算結果Ｃを得る機能部と，更に，Ｂブランチのトランスインピーダンスアンプ１３ｂの出力とＢブランチの識別回路１７ｂの出力との掛け算結果Ｄを得る機能部とで構成される。
【００６９】
かかる構成において，異常状態の検出機能部３００における掛け算結果Ｃ及びＤは，次に状態となる。
【００７０】
出力Ｃは，Ａブランチのトランスインピーダンスアンプ１３ａの出力とＡブランチの識別回路１７ａの出力との掛け算結果であり，正常時は，＋電位であり，異常時は０Ｖ若しくは電位が低下する状態となる。
【００７１】
同様に出力Ｄは，Ｂブランチのトランスインピーダンスアンプ１３ｂの出力とＢブランチの識別回路１７ｂの出力との掛け算結果であり，正常時は＋電位であり，異常時は０Ｖ若しくは電位が低下する状態となる。
【００７２】
さらに，図３および図１０において，上記の各機能部の掛け算結果Ａ，Ｂ，Ｃ，Ｄを入力して異常検出を行うマイクロコントローラ３０１を有している。かかるマイクロコントローラ３０１は，独立の機能部としてもある位置基準表示装置は，図２におけるＡブランチ及び，Ｂブランチにおけるマイクロコントローラ２３ａ，２３ｂと共通のものであってもよい。
【００７３】
なお，位相誤差検出部ＩＡ，ＩＢにおける積分機能を有するローパスフィルタ１４ａ，２０ａ（１４ｂ，２０ｂ））と，ミキサ１５ａ（１５ｂ）との間に論理反転回路２１０ａ，２１１ａ（２１０ｂ，２１１ｂ）が備えられている。同様に，異常状態の検出，通知機能部３００においても論理反転回路が備えられている。
【００７４】
これは，光位相誤差検出値は微弱であり，位相誤差検出部に用いる回路部品において発生するＤＣオフセット電圧が無視できない。このためにトランスインピーダンスアンプ出力及び，識別回路出力のそれぞれを論理正転/反転し，乗算した計４種の出力Ａ，Ｂ，Ｃ，Ｄをマイクロコントローラ３０１で演算処理することでＤＣオフセット除去処理を行なっている。
【００７５】
すなわち，図４は，これを説明する詳細図であり，Ａブランチのみを代表として示し，図３のベッセルローパスフィルタ１４ａ，２０ａ，論理反転回路としてのアナログスイッチ２１０ａ，２１１ａ，ミキサ１５ａ，ローパスフィルタ２０ａ，及びＡ／Ｄ変換器２２ａを有している。
【００７６】
図４において，トランスインピーダンスアンプ１３ａの出力を，ローパスフィルタ１４ａを通して差動出力Ａ１−Ａ２とし，識別回路１７ｂの出力を，ローパスフィルタ２９ａを通して差動出力でＢ１−Ｂ２とする。
【００７７】
ミキサ１５ａの入出力部におけるＤＣオフセット電圧値をそれぞれ図４に示すように，ＤＣＡ，ＤＣＢ，ＤＣoutとする。さらに，アナログスイッチ２１０ａ，２１１ａをマイクロコントローラ３０１で制御して，論理の正転／反転処理して得られる光位相誤差検出出力をそれぞれＷ１〜Ｗ４とすると，ミキサ１５ａの出力は次のようになる。
【００７８】
Ｗ１＝ＤＣout＋（Ａ１−Ａ２＋ＤＣＡ）（Ｂ１−Ｂ２＋ＤＣＢ）
Ｗ２＝ＤＣout＋（Ａ２−Ａ１＋ＤＣＡ）（Ｂ１−Ｂ２＋ＤＣＢ）
Ｗ３＝ＤＣout＋（Ａ２−Ａ１＋ＤＣＡ）（Ｂ２−Ｂ１＋ＤＣＢ）
Ｗ４＝ＤＣout＋（Ａ１−Ａ２＋ＤＣＡ）（Ｂ２−Ｂ１＋ＤＣＢ）
の４つの値をとる。この４つの値を用いて，マイクロコントローラ３０１で次のように演算する。
【００７９】
Ｗ１＋Ｗ２＋Ｗ３＋Ｗ４＝４（Ａ１−Ａ２）（Ｂ１−Ｂ２）となり，上記の通り，図３，図４に示すようにおいて，反転スイッチ２１０ａ，２１１１ａを設けることにより，回路において生じるＤＣオフセットを除去することができる。
【００８０】
図５および図１１は，更に，本発明の別の実施例を示す構成例ブロック図である。図５および図１１に示される構成例では、図３の構成に対し，独立の異常状態の検出，通知機能部３００を設けることなく，ノード切替回路３０２を設けている。そして，このノード切替回路３０２をマイクロコントローラ３０１で制御することにより光位相誤差検出部と，異常状態の検出機能部とを時分割で使用することにより回路構成を簡略できる。
【００８１】
図６，図７は，上記に説明した本発明の実施例構成において，先に説明した特許文献２発明において問題となるケース１〜５に対応する異常状態の検出，通知機能部３００の動作処理フローである。
【００８２】
以下に，かかる動作フローを参照しながら，ケース１〜５における本発明に従う実施例動作を説明する。
【００８３】
本発明による制御が開始すると，図２において，ヒータ２４ａ,２４ｂを加熱する時間の経過（ステップＳ０）後に，図２において示されていない，識別回路１７ａ，１７ｂの後段に接続される，データＡ，データＢの処理回路において，信号の疎通の有無が判定される（ステップＳ１）。
【００８４】
信号の疎通なしは，全く受信信号が無い状態であり，信号の疎通ありとは，信号品質に関わらず，少なくともエラーレートＰｅが１０−２程度以上の信号が得られる状態である。
【００８５】
［ケース１］
信号の疎通ありと判定される場合（ステップＳ１，Ｙｅｓ），本発明の図３又は図５の異常状態の検出機能部により求められる信号からマイクロコントローラ３０１により求められる異常検出演算出力値が，第１のしきい値ＴＨ１より大きい場合（ステップＳ２，Ｎｏ）は，異常検出無と判定する（ステップＳ３）。
【００８６】
すなわち，図８は，ケース１に対する処理基準を説明する図である。すなわち，ケース１は，受信光入力が，光位相変調が掛かった信号を含まないＡＳＥ光のみである場合，若しくは先に説明した（n* B(A)-arm TIA OUT ）×（A(B)-arm MUX OUT)の項（以下単に＊項という）が，検出できない程に，Ｓ／ＡＳＥ比が異常に小さい場合である。
【００８７】
図８において，横軸にＳ／ＡＳＥ[dB]をとり， 縦軸に乗算結果処理Ｃ及びＤ即ち，それぞれ
(A-arm TIA OUT×A-arm)/Rx_POW_MON_A 
(B-arm TIA OUT×B-arm MUX OUT)/Rx_POW_MON_Bで示される値を示している。
【００８８】
上記式の分子は，Ａ（Ｂ）アームのトランスインピーダンスアンプ１３ａ（１３ｂ）の出力（TIA OUT）と識別回路１７ａ（１７ｂ）の出力（MUX OUT）との同期検波出力であり，上記式の分母は，光入力パワーモニタ値であり，分子/分母の項全体は，マイクロコントローラ３０１により処理された値を指す。
【００８９】
そして，同一ブランチ（アーム）の同期検波出力は，ＡＳＥ光がない場合は光入力パワー[ｍＷ]とトランスインピーダンスアンプ出力が比例することを考慮し，光入力パワーモニタ値で除算し，正規化した出力が縦軸に対応されている。
【００９０】
さらに，分子は入力信号光パワーＳ[ｍＷ],分母は合計の光パワー(Ｓ+ＡＳＥ) [ｍＷ]に作用するため，Ｓ[ｍＷ]/ (Ｓ+ＡＳＥ) [ｍＷ]の比で出力が変化する特徴を利用し，許容されるＳ/ＡＳＥからＳ/ＡＳＥ異常判定しきい値ＶＴＨ１を設定する。
【００９１】
但し，この判定しきい値ＶＴＨ１は他に異常がない場合にＳ/ＡＳＥ比異常を判定可能なしきい値という前提を要する。
【００９２】
図６に戻り，入力信号光パワーＳがＳ/ＡＳＥ異常判定しきい値ＶＴＨ１より大きければ（ステップＳ２，Ｎｏ），異常は検出されない（ステップＳ３）。
【００９３】
一方，異常検出演算時の入力信号光パワーＳがＳ/ＡＳＥ異常判定しきい値ＶＴＨ１以下であれば（ステップＳ２，Ｙｅｓ），異常と判定して遅延干渉計１１ａ（１１ｂ）に対するマイクロコントローラ２３ａ（２３ｂ）により制御を一時停止し，即ち現状を保持し，光伝送路３上の光増幅器ＡＭＰに対し，入力光を低減してＰsig／Ｐase比を更新する制御を行わす（ステップＳ３）。
【００９４】
これは，受信器２側から所定のチャネルに制御信号を挿入して送信器１に向う方向に送信し，それぞれの光増幅器ＡＭＰで信号光対ＡＳＥ光レベルの比（Ｐsig／Ｐase）を更新する制御が行われる。
【００９５】
かかる制御に基づき，光増幅器ＡＭＰにおいて，制御更新後に遅延干渉計制御が再始動する（ステップＳ４）。
【００９６】
遅延干渉計制御の再始動後，更に上記ステップＳ２と同様に異常検出演算を行い，しきい値ＶＴＨ１を基準に判定する（ステップＳ５）。
【００９７】
そして，上記のような光増幅器制御の更新が，例えばＮ３回より大きくなると（ステップＳ６，Ｙｅｓ），識別回路１７ａ，１７ｂによる識別改善が不能であり，若しくはハードウエア障害と判定し，アラームＡＬＭがマイクロコントローラ３０１から出力される（ステップＳ７）。
【００９８】
[ケース２]
ケース２は，光入力波形歪みが大きいためにエラーレートＰｅが１０−２以下の信号となる場合である。
【００９９】
したがって，かかる場合は，図６において信号疎通状態判断で疎通していないと判定される（ステップＳ１，Ｎｏ）。そして，図７のフローに移行して処理が進められる。
【０１００】
すなわち，上記項＊における識別回路１７ａ（１７ｂ）の出力MUX OUTが不定となる場合である。
【０１０１】
図９は，横軸に波長分散を取り，縦軸に図８と同様に乗算結果処理Ｃ及びＤ即ち，それぞれ
(A-arm TIA OUT×A-arm MUX OUT)/Rx_POW_MON_A 
(B-arm TIA OUT×B-arm MUX OUT)/Rx_POW_MON_Bで示される値を示している。
【０１０２】
残留分散を含めた波形歪みにより，識別回路１７ａ（１７ｂ）でデータ識別が極端に悪くなった場合(エラーレートが極端に悪くなった場合），上記（MUX OUT）の項が不定となり分子はゼロに収束する。
【０１０３】
識別回路１７ａ（１７ｂ）の出力であるMUX OUT項のエラーレートが図９の縦軸に与える影響は，エラーレートそのものとなる。そして，エラーレートがＰe=１０−２であれば，MUX OUT項の確度は，１０−２の割合で確度が失われ，縦軸に影響する。  
【０１０４】
また，トランスインピーダンスアンプ（TIA OUT）出力は受信信号の線形増幅信号をローパスフィルタ（Bessel Fil）１４ａ（１４ｂ）で帯域制限しており，残留分散耐力は高い。
【０１０５】
図９において，波形歪みにより，遅延干渉計光位相のフィードバック制御のループゲインを考慮し，正常に機能する下限値をしきい値ＶＴＨ２とする。  
【０１０６】
但し，このしきい値ＶＴＨ２は，他に異常がない場合に波形歪み異常を判定可能なしきい値という前提を要する。 
【０１０７】
図７を参照すると，マイクロコントローラ３０１による異常検出演算時，入力信号光パワーの残留分散に対して上記乗算結果処理Ｃ又は，Ｄが，判定しきい値ＶＴＨ２より大きければ（ステップＳ１０，Ｎｏ），先に説明した図６のケース１の判定に戻る。
【０１０８】
反対に，乗算結果処理Ｃ又は，Ｄが，判定しきい値ＶＴＨ２より小さければ（ステップＳ１０，Ｙｅｓ），遅延干渉計１１ａ（１１ｂ）に対するマイクロコントローラ２３ａ（２３ｂ）により制御を一時停止し，即ち現状を保持し，ネットワーク３上の分散補償器６を更新する（ステップＳ１１）。
【０１０９】
分散補償器６により分散補償値を更新後に遅延干渉計１１ａ（１１ｂ）に対する制御を再始動する（ステップＳ１２）。
【０１１０】
遅延干渉計制御の再始動後，更に上記ステップＳ２と同様に異常検出演算を行い，しきい値ＶＴＨ２を基準に判定する（ステップＳ１３）。
【０１１１】
上記の演算結果出力Ｃ又は，Ｄが，しきい値ＶＴＨ２より大きい場合は，先に図６で説明したケース１の判定に移行する（ステップＳ１３，Ｎｏ）。
【０１１２】
ついで，演算結果出力Ｃ又は，Ｄが，しきい値ＶＴＨ２より小さいという判定がＮ１回より大きくなると（ステップＳ１４，Ｙｅｓ），残留分散補償器６のみによる識別回路１７ａ（１７ｂ）の改善はできない（ＮＧ）と判定する（ステップＳ１５）。
【０１１３】
[ケース３]
さらに，ケース３として，ケース２に類似し，識別回路１７ａ，１７ｂのしきい値異常により，その出力が不定となる場合，処理は次のようである。
【０１１４】
すなわち，図７において，残留分散補償器６による分散補償制御及び，遅延干渉計１１ａ（１１ｂ）に対する位相制御を一時停止し，その後識別器１７ａ（１７ｂ）のしきい値及び，位相制御を更新させる（ステップＳ１６）。
【０１１５】
そして，制御値の更新後に，残留分散補償器６の制御及び遅延干渉計１１ａ（１１ｂ）に対する位相制御を再始動する（ステップＳ１７）。
【０１１６】
ついで，演算結果出力Ｃ又は，Ｄが，しきい値ＶＴＨ２より小さいという判定がＮ２回より大きくなると（ステップＳ１９，Ｙｅｓ），識別回路１７ａ（１７ｂ）の識別点を元の状態に戻し（ステップＳ２０），残留分散補償器６による分散補償，識別回路１７ａ（１７ｂ）のしきい値更新による識別出力の改善は不可と判定する（ステップＳ２１）。
【０１１７】
かかる場合は，ＡＳＥ光が大であり，あるいは，ハードウエアが異常であるので，ネットワーク３上の光増幅器ＡＭＰの信号対ＡＳＥ比を改善することにより対応する（ステップＳ２２）。
【０１１８】
[ケース４，ケース５]
ケース４は，トランスインピーダンスアンプ出力又は，識別回路１７ａ（１７ｂ）のいずれかの出力が異常である場合であり，上記ケース１〜３における制御値更新処理によっても回復がされない場合である。すなわち，光入力パワーモニタ値が正常であり，光入力段検出回路または前段回路のいずれかに障害がある可能性が高いと判定する。
【０１１９】
また，ケース５では，上記のケース１〜３の一連の異常検出時制御フロー中，異常検出回路の出力が異常で変化がない場合，ケース4における主信号系回路の故障きりわけによらず，光入力断検出部が故障である可能性があると判断する。
【０１２０】
上記のとおり，本発明により，異常状態を検出，通知する回路を具備し，遅延干渉計光位相のフィードバック制御の暴走を防止するとともに，異常検出演算及び制御部を具備することで異常検出時における残留分散補償器，光増幅器を含めた異常時停止，回復する方法が提供される。
【０１２１】
また，上記した異常回復の制御の手順として，同時発生しうるそれぞれの異常発生を，光受信部にある残留分散補償器の分散補償量フィードバック制御と光受信器に内蔵される遅延干渉計光位相フィードバック制御が暴走せず正常動作するよう異常を回復することを最優先にする。
【０１２２】
その後，これら異常発生要因について異常判定を回復させるよう，時分割で異常回復を実施するように制御する異常回復制御を行う。
【０１２３】
そして，かかる時分割で行なう異常検出時制御の一連の結果から，異常発生箇所が特定される。
【０１２４】
(付記１)
ＤＱＰＳＫ変調された入力信号光を第１分岐信号光と第２分岐信号光に分岐する分岐部と、
前記第１分岐信号光を入力し、前記第１分岐信号光に所定の位相を付与する第１移相器を有する光導波路と前記第１分岐信号光に１シンボル分の時間差を与える光導波路とを備えた第１遅延干渉計と、
前記第１遅延干渉計の出力光を入力し、第１復調電気信号を出力する第１光電変換部と、
前記第１復調電気信号のクロックおよびデータの再生を行い、第１再生電気信号を出力する第１データ再生回路と、
前記第２分岐信号光を入力し、前記第２分岐信号光に所定の位相を付与する第２移相器を有する光導波路と前記第２分岐信号光に１シンボル分の時間差を与える光導波路とを有する第２遅延干渉計と、
前記第２遅延干渉計の出力光を入力し、第２復調電気信号を出力する第２光電変換部と、
前記第２復調電気信号のクロックおよびデータの再生を行い、第２再生電気信号を出力する第２データ再生回路と、
前記第１復調電気信号および前記第２再生電気信号に基づき、前記第１移相器の付与位相を制御する第１位相制御部と、
前記第２復調電気信号および前記第１再生電気信号に基づき、前記第２移相器の付与位相を制御する第２位相制御部と、
前記第１復調電気信号および前記第１再生電気信号の同期検波状態および前記第２復調電気信号および前記第２再生電気信号の同期検波状態に基づき、前記入力信号光の異常を検出する異常検知部とを備えた光受信装置。
【０１２５】
(付記２)
付記１記載の光受信装置であって、前記異常検知部は、フィルタ手段により前記第１復調電気信号、前記第１再生電気信号、前記第２復調電気信号、および、前記第２再生電気信号の周波数帯域を制限後、同期検波を行うことを特徴とする光受信装置。
【０１２６】
(付記３)
付記１記載の光受信装置であって、前記異常検知部は、前記第１復調電気信号、前記第１再生電気信号、前記第２復調電気信号、および、前記第２再生電気信号をそれぞれ論理反転可能な論理反転手段を有し、前記論理反転手段による論理正転および論理反転状態の同期検波状態に基づき、前記入力信号光の異常を検出することを特徴とする光受信装置。
【０１２７】
(付記４)
付記１記載の光受信装置であって、前記第１再生電気信号および前記第２再生信号を入力し、出力先をそれぞれ切り替え可能な切替部を備え、
前記第１位相制御部は、前記切替部より前記第２再生電気信号が入力されたときは、前記第１移相器の付与位相を制御し、前記切替部より前記第１再生電気信号が入力されたときは前記入力信号光の異常を検出し、
前記第２位相制御部は、前記切替部より前記第１再生電気信号が入力されたときは、前記第２移相器の付与位相を制御し、前記切替部より前記第２再生電気信号が入力されたときは前記入力信号光の異常を検出することを特徴とする光受信装置。
【０１２８】
(付記５)
付記１記載の光受信装置であって、前記異常検知回路は、前記第１復調電気信号および前記第１再生電気信号の同期検波出力である第１同期検波出力の入力信号光強度に対する比率、または、前記第２復調電気信号および前記第２再生電気信号の同期検波出力である第２同期検波出力の前記入力信号光強度に対する比率、に基づき前記入力信号光の異常を検出することを特徴とする光受信装置。
【０１２９】
(付記６)
付記５記載の光受信装置であって、前記異常検知部は、前記第１同期検波出力の前記入力信号光強度に対する比率または前記第２同期検波出力の前記入力信号光強度に対する比率が、所定のしきい値を超えるときに前記入力信号光における信号光パワーとＡＳＥ光パワーの比が異常であると判定することを特徴とする光受信装置。
【０１３０】
(付記７)
付記５記載の光受信装置であって、前記異常検知部は、他に異常の原因が無く、前記第１同期検波出力の前記入力信号光強度に対する比率または前記第２同期検波出力の前記入力信号光強度に対する比率が、所定の閾値を下回るとき，前記入力信号光の波形歪みが異常であると判定することを特徴とする光受信装置。
【０１３１】
（付記８）
ＤＱＰＳＫ変調された信号光を分岐し、遅延干渉計、光電変換部、および、データ再生回路を有する第１および第２のブランチに入力し、Ｉ信号およびＱ信号を復号する光受信装置であって、
前記第１の遅延干渉計の位相を調整する第１の移相手段は、前記第１のブランチの前記光電変換部より出力される第１復調電気信号および、前記第２のブランチの前記データ再生回路より出力される第２再生電気信号に基づき制御され、
前記第２の遅延干渉計の位相を調整する第２の移相手段は、前記第２のブランチの前記光電変換部より出力される第２復調電気信号および、前記第１のブランチの前記データ再生回路より出力される第１再生電気信号に基づき制御され、
前記入力信号光の異常が、前記第１復調電気信号および前記第１再生電気信号の同期検波状態および前記第２復調電気信号および前記第２再生電気信号の同期検波状態に基づき検出されることを特徴とする光受信装置。
【０１３２】
（付記９）
ＤＱＰＳＫ変調された信号光を分岐し、遅延干渉計、光電変換部、および、データ再生回路を有する第１および第２のブランチに入力し、Ｉ信号およびＱ信号を復号する光受信装置であって、
前記入力信号光の異常が、前記第１のブランチの前記光電変換部より出力される第１復調電気信号および前記第１のブランチの前記データ再生回路より出力される第１再生電気信号、および、前記第２のブランチの前記光電変換部より出力される第２復調電気信号および前記第２のブランチの前記データ再生回路より出力される第２再生電気信号の同期検波状態、に基づき検出されることを特徴とする光受信装置。
【０１３３】
（付記１０）
それぞれ遅延干渉計，光検出器，データ再生回路を備えた第１のブランチ及び第２のブランチを有する光ＤＱＰＳＫ受信器において，
前記第１のブランチは，
前記第１のブランチのデータ再生回路の前段から得られる信号と前記第２のブランチのデータ再生回路の後段から得られる信号とを掛け合わせる第１のミキサと，前記第１のミキサの後段に設けられ，前記第１のミキサからの出力信号を平均化する第１の平均化回路と，前記第１の平均化回路の出力に対応して前記第１のブランチの遅延干渉計の位相をフィードバック制御する第１の位相調整制御部を備える第１の位相制御装置を有し，
前記第２のブランチは，
前記第２のブランチのデータ再生回路の前段から得られる信号と前記第１のブランチのデータ再生回路の後段から得られる信号とを掛け合わせる第２のミキサと，前記第２のミキサの後段に設けられ，前記第２のミキサからの出力信号を平均化する第２の平均化回路と，前記第２平均化回路の出力に対応して前記第２のブランチの遅延干渉計の位相をフィードバック制御する第１の位相調整制御部を備える第２の位相制御装置を有し，
さらに，前記第１のブランチのデータ再生回路の前段から得られる信号と前記第１のブランチのデータ再生回路の後段から得られる信号とを掛け合わせる第３のミキサと，前記第２のブランチのデータ再生回路の前段から得られる信号と前記第２のブランチのデータ再生回路の後段から得られる信号とを掛け合わせる第４のミキサを有し，前記第３及び第４のミキサによる同期検波の出力状態から光入力条件の異常を検知する異常検知回路を，
有することを特徴とする光ＤＱＰＳＫ受信器。
【０１３４】
（付記１１）
付記１０において，
前記異常検知回路の第３及び第４のミキサによる同期検波される２つの信号の周波数帯域を制限するローパスフィルタを前記３及び第４のミキサの前段に有することを特徴とする光ＤＱＰＳＫ受信器。
【０１３５】
（付記１２）
付記１０において，
前記異常検知回路の第３及び第４のミキサに入力される，前記第１のブランチのデータ再生回路の前段から得られる信号と前記第１のブランチのデータ再生回路の後段から得られる信号及び，前記第２のブランチのデータ再生回路の前段から得られる信号と前記第２のブランチのデータ再生回路の後段から得られる信号のそれぞれを論理反転するスイッチを通して対応する前記第３及び第４のミキサに入力することを特徴とする光ＤＱＰＳＫ受信器。
【０１３６】
（付記１３）
付記１０において，
前記異常検知回路はマイクロコントローラを有し，前記マイクロコントローラにより前記第３及び第４のミキサによる同期検波の出力の電圧値を光入力モニタ値で除算することを特徴とする光ＤＱＰＳＫ受信器。
【０１３７】
（付記１４）
それぞれ遅延干渉計，光検出器，データ再生回路を備えた第１のブランチ及び第２のブランチを有する光ＤＱＰＳＫ受信器において，
前記第１のブランチは，
前記第１のブランチのデータ再生回路の前段から得られる信号と前記第２のブランチのデータ再生回路の後段から得られる信号とを掛け合わせる第１のミキサと，前記第１のミキサの後段に設けられ，前記第１のミキサからの出力信号を平均化する第１の平均化回路と，前記第１の平均化回路の出力に対応して前記第１のブランチの遅延干渉計の位相をフィードバック制御する第１の位相調整制御部を備える第１の位相制御装置を有し，
前記第２のブランチは，
前記第２のブランチのデータ再生回路の前段から得られる信号と前記第１のブランチのデータ再生回路の後段から得られる信号とを掛け合わせる第２のミキサと，前記第２のミキサの後段に設けられ，前記第２のミキサからの出力信号を平均化する第２の平均化回路と，前記第２平均化回路の出力に対応して前記第２のブランチの遅延干渉計の位相をフィードバック制御する第１の位相調整制御部を備える第２の位相制御装置を有し，さらに，
前記第１のブランチのデータ再生回路の後段から得られる信号と，前記第２のブランチのデータ再生回路の後段から得られる信号を入力するノード切替器を有し，
光入力条件の異常を検知する際に，前記第１のミキサと第２のミキサに入力される前記第１のブランチのデータ再生回路の後段から得られる信号と，前記第２のブランチのデータ再生回路の後段から得られる信号を前記ノード切替器により切り替えて入力し，更に，
前記光入力条件の異常を検知する際に，前記第１及び第２のミキサによる同期検波の出力状態から光入力条件の異常を検知する異常検知回路を，
有することを特徴とする光ＤＱＰＳＫ受信器。
【０１３８】
（付記１５）
付記１０または１４において，
前記異常検知回路の出力値に対して，しきい値を設定し，前記出力値が前記しきい値を超えるときに光入力における信号光パワーとＡＳＥ光パワーの比が異常であると判定することを特徴とする光ＤＱＰＳＫ受信器。
【０１３９】
（付記１６）
付記１０または１４において，
光入力の波形歪みによりビットエラーレートに依存して変化する前記再生回路の出力信号の確度が劣化したことで発生した遅延干渉計光位相フィードバック制御の異常を，前記異常検知回路出力に特定のしきい値を設定し，光入力波形歪みの異常を判定することを特徴とする光ＤＱＰＳＫ受信器。
【０１４０】
（付記１７）
付記１０または１４において，
前記再生回路における識別しきい値もしくは識別位相の異常に依存して変化する識別器出力信号の確度が劣化したことで発生した遅延干渉計光位相フィードバック制御の異常を，前記異常検知回路の出力に特定のしきい値を設定し，識別異常を判定することを特徴とする光ＤＱＰＳＫ受信器。
【０１４１】
（付記１８）
付記１７において，
前記異常検知回路は，識別異常を判定したときに警報を通知することを特徴とする光ＤＱＰＳＫ受信器。
【０１４２】
（付記１９） 
付記１８において，
前記異常検知回路は，光入力波形歪み異常の警報を利用して，光受信器前段の残留分散補償器の分散補償量を更新する命令を行うことを特徴とする光ＤＱＰＳＫ受信器。
【０１４３】
（付記２０）
付記１８において，
前記異常検知回路は，ＡＳＥ光パワーと信号光パワーの比であるＰsig/Ｐase比の異常の警報を利用して，波長分割多重回線内の光増幅器の増幅特性における前記Ｐsig/Ｐase比を更新する命令を行うことを特徴とする光ＤＱＰＳＫ受信器。
【０１４４】
（付記２１）
光ＤＱＰＳＫ信号の送信器と，波長分割多重伝送路と，前記波長分割多重伝送路上に配置された光増幅器と，波長分散補償器と，前記波長分割多重伝送路を通して前記送信器からの光ＤＱＰＳＫ信号を受信する光受信器を有する光通信システムであって，
前記光受信器は，それぞれ遅延干渉計，光検出器，データ再生回路を備えた第１のブランチ及び第２のブランチを有し，
前記第１のブランチは，
前記第１のブランチのデータ再生回路の前段から得られる信号と前記第２のブランチのデータ再生回路の後段から得られる信号とを掛け合わせる第１のミキサと，前記第１のミキサの後段に設けられ，前記第１のミキサからの出力信号を平均化する第１の平均化回路と，前記第１の平均化回路の出力に対応して前記第１のブランチの遅延干渉計の位相をフィードバック制御する第１の位相調整制御部を備える第１の位相制御装置を有し，
前記第２のブランチは，
前記第２のブランチのデータ再生回路の前段から得られる信号と前記第１のブランチのデータ再生回路の後段から得られる信号とを掛け合わせる第２のミキサと，前記第２のミキサの後段に設けられ，前記第２のミキサからの出力信号を平均化する第２の平均化回路と，前記第２平均化回路の出力に対応して前記第２のブランチの遅延干渉計の位相をフィードバック制御する第１の位相調整制御部を備える第２の位相制御装置を有し，
さらに，前記第１のブランチのデータ再生回路の前段から得られる信号と前記第１のブランチのデータ再生回路の後段から得られる信号とを掛け合わせる第３のミキサと，前記第２のブランチのデータ再生回路の前段から得られる信号と前記第２のブランチのデータ再生回路の後段から得られる信号とを掛け合わせる第４のミキサを有し，前記第３及び第４のミキサによる同期検波の出力状態から光入力条件の異常を検知する異常検知回路を，
有することを特徴とする光通信システム。
【０１４５】
（付記２２）
付記２１において，
前記前記再生回路における識別しきい値もしくは識別位相の異常に依存して変化する識別器出力信号の確度が劣化したことで発生した遅延干渉計光位相フィードバック制御の異常を，前記異常検知回路の出力に特定のしきい値を設定し，識別異常を判定し，
前記識別異常を判定したときに光受信器前段の残留分散補償器に対し，分散補償量を更新させることを特徴とする光通信システム。
【０１４６】
（付記２３）
付記２１において，
前記再生回路における識別しきい値もしくは識別位相の異常に依存して変化する識別器出力信号の確度が劣化したことで発生した遅延干渉計光位相フィードバック制御の異常を，前記異常検知回路の出力に特定のしきい値を設定し，識別異常を判定し，
前記識別異常を判定したときに前記波長分割多重伝送路上の光増幅器に対し，前記光増幅器の増幅特性における信号光パワーとＡＳＥ光パワーの比であるＰsig/Ｐase比を更新する命令を行うことを特徴とする光通信システム。
【０１４７】
（付記２４）
それぞれ遅延干渉計，光検出器，データ再生回路を備えた第１のブランチ及び第２のブランチを有し，前記第１のブランチ及び第２のブランチの遅延干渉計の位相をフィードバック制御する光ＤＱＰＳＫ受信器における異常検出制御方法であって，
前記第１のブランチ及び第２のブランチのそれぞれにおいて，データ再生回路の入力側と出力側の信号を同期検波して，前記フィードバック制御における異常を判定することを特徴とする異常検出制御方法。
【図面の簡単な説明】
【０１４８】
【図１】ＲＺフォーマットを使用する光ＤＱＰＳＫのネットワーク構成例である。
【図２】関連技術に係る発明の光ＤＱＰＳＫ受信器の構成例を示す図である。
【図３】本発明の実施例を示す構成例ブロック図である。
【図４】位相検出部のＤＣオフセット除去処理を説明する詳細図である。
【図５】本発明の別の実施例を示す構成例ブロック図である。
【図６】本発明の実施例構成において，関連技術において問題となるケース１に対応する異常状態の検出，通知機能部の動作処理フローである。
【図７】本発明の実施例構成において，関連技術において問題となるケース２，３に対応する異常状態の検出，通知機能部の動作処理フローである。
【図８】ケース１に対する処理基準を説明する図である。
【図９】ケース２，３に対する処理基準を説明する図である。
【図１０】本発明の実施例を示す構成例ブロック図である。
【図１１】本発明の別の実施例を示す構成例ブロック図である。
【符号の説明】
【０１４９】
１  送信器２  受信器３  ネットワーク（光伝送路）４  光波長分割多重回路（WDM MUX）５  波長分割多重光の分離器ＡＭＰ  光増幅器６  残留分散補償器１１ａ，１１ｂ  遅延干渉計１２ａ，１２ｂ  光検出回路１３ａ，１３ｂ  トランスインピーダンスアンプ１４ａ，１４ｂ，２０ａ，２０ｂ，２１ａ，２１ｂ  ローパスフィルタ１５ａ，１５ｂ  ミキサ２２ａ，２２ｂ  Ａ／Ｄ変換器  ＩＡ，ＩＢ  光位相誤差検出部１７ａ，１７ｂ  識別回路２３ａ，２３ｂ，３０１  マイクロコントローラ
【図１】
2008271536.tif 000003
【図２】
2008271536.tif 000004
【図３】
2008271536.tif 000005
【図４】
2008271536.tif 000006
【図５】
2008271536.tif 000007
【図６】
2008271536.tif 000008
【図７】
2008271536.tif 000009
【図８】
2008271536.tif 000010
【図９】
2008271536.tif 000011
【図１０】
2008271536.tif 000012
【図１１】
2008271536.tif 000013